【事件の表示】
　平成　９年特許願第２７９８５３号「遮光性マトリックスを有するマイクロレンズシートの製造方法」拒絶査定不服審判事件〔平成１１年　４月１３日出願公開、特開平１１−１０１９０２〕について、次のとおり審決する。
【結　論】
　本件審判の請求は、成り立たない。
【理　由】
１．手続の経緯及び本願発明
　本願は、平成９年９月２５日の出願であって、平成１６年９月１７日付け及び平成１８年１１月２２日付けで手続補正がなされ、平成１８年１２月１３日付けで拒絶査定がなされ、これに対して平成１９年１月１７日に審判請求がなされたものである。
　
　本願の特許請求の範囲の請求項１乃至５に係る発明は、平成１６年９月１７日付け及び平成１８年１１月２２日付けの手続補正書により補正された明細書及び図面の記載からみて、その請求項１乃至５に記載されたとおりのものと認められるところ、その請求項１に記載された発明（以下、「本願発明」という。）は次のとおりのものである。
　
　「レンズ面の反対側の面にマイクロレンズの焦点距離に応じて厚さが定められた透明層を設け、遮光剤を含有するフォトレジスト層がレンズの焦点の位置にくるよう配置されているマイクロレンズシートを使用し、該レンズ面から光を照射して該フォトレジスト層を露光し、該露光後のフォトレジスト層を現像することにより該フォトレジスト層に開口部を設けてマトリックスを形成させることを特徴とする、遮光性マトリックスを有するマイクロレンズシートの製造方法。」
　
２．引用例
　これに対して、原査定の拒絶理由に引用された特開平２−１３５４３１号公報（以下、「引用例」という。）には、以下の事項が記載されている。
　
　レンチキュラー型映写スクリーンの製造方法に関するもので、
記載事項ア．１頁右欄
「（産業上の利用分野）
　本発明は、表面に光収光性の線条凸部を備え、裏面に平坦面を備えたレンチキュラーレンズシートの平坦面に、光吸収性のブラックストライプ模様を形成するための方法に関する。」
　
記載事項イ．１頁左欄の「特許請求の範囲」
「表面に収光性の線条凸部を備え裏面に平坦面を備えたレンチキュラーレンズシートに線条の光吸収層を形成する方法において、レンズシート（１）平坦面（３）にポジ型感光剤を塗布して感光層（６）を形成し、該層（６）上に光吸収層（７）を全面に形成して乾燥後、光吸収層（７）上に前記レンズシート（１）と感光層（６）との間の接着力より弱い接着力にて剥離シート（８）を全面的に貼着し、しかる貼着前又は後に前記レンズシート（１）のレンズ凸部（２）側からの線条の紫外光により前記感光層（６）を露光して光分解処理し且つ必要に応じて現像処理し、続いて該剥離シート（８）を剥離することにより光分解した感光領域（９）の感光層（６）を除去してレンズシート（１）の平坦面（３）に線条の光吸収層（７）を形成することを特徴とするレンチキュラー型映写スクリーンの製造方法。」
　（括弧内の数字は、図面の数字に合わせて付与。）
　
記載事項ウ．２頁左下欄下から２行〜２頁右下欄１６行
「（実施例）
　本発明方法を実施例に従って詳細に説明する。
第１図は、表面に光収光性の線条のレンズ凸部２、裏面に平坦面３を備えたポリ塩化ビニル、スチレンなどの透明な樹脂製レンチキュラーレンズシート１の斜視図であり、該レンチキュラーレンズシート１（以下レンチレンズシートという）の平坦面３側に、第２図（イ）に示すように全面的に例えばジアゾ系のポジ型感光性樹脂を塗布して、ポジ型感光性樹脂による感光層６を形成する。・・・・・。続いて第３図に示すように該レンチレンズシート１に塗布された感光層６上に全面的に黒色、あるいは暗色系の印刷インキを用いてベタ印刷して全面に光吸収層７を形成する。」
　
記載事項エ．２頁右下欄１６行〜３頁左上欄３行
「次に、第４図、レンチレンズシート１の光収光性の線条凸部２側より全面的に紫外光を照射する。紫外光は、該レンズ凸部２にて一定幅の線条の照射光に収束して、該凸部２と相対する平坦面３側をストライプ状に照射する。照射された平坦面３のポジ型感光樹脂の感光層６における感光領域９は、紫外光によりアルカリ可溶性の樹脂に分解される。」
　
記載事項オ．３頁左上欄３行〜同末行
「次に、該レンチレンズシート１をアルカリ性の現像液に浸漬し、光照射された感光領域９の感光層６を光吸収層７を透して膨潤、あるいは半溶解する。次に、第５図、該感光層６を半乾燥状態あるいは乾燥状態にした後、該光吸収層７上に、粘着剤を塗布した樹脂製、紙製などの剥離シート８、あるいは多孔性シート、織布など通水性の剥離シート８を該粘着剤を介して所定のニップロール間を通過させて貼着する。そして、第６図、剥離シート８をレンチレンズシート１側より剥離する。そして剥離シート８側に貼着した状態で剥離される光照射された感光領域９を、レンチレンズシート１側より剥離することによって、レンズ凸部２と相対する平坦面３の光吸収層７は除去され、一方、レンズ谷部４に相対する位置の平坦面には感光層６が残り、第７図のように線状の光吸収層７が設けられるものである。」
　
記載事項カ．３頁左下欄５行〜同１０行
「又、本発明方法の実施例としてレンチレンズシート１上には、感光性樹脂による感光層６と黒色インキによる光吸収層７を積層形成するものであるが例えば、黒色着色材を感光層６に混合して光吸収層７とすることができる。」
　
記載事項キ．３頁右下欄
「（発明の効果）
　本発明方法は、レンチレンズシートの平坦面に、光学的処理によりストライプ状の光吸収層を形成する方法であり、従来の直接印刷方式や貼り合わせ方式に比較してレンズ凸部と光吸収層との見当整合や位置合わせが容易であり、又、光照射量を変えることによって、光吸収層の幅の微量の調整が可能である。又、染色マスクパターンを用いた従来の染色法よりも製造処理が容易であり、又、光吸収層の膜厚を厚く形成でき、高濃度の光吸収層が得られるなどの長所を有するものである。」
　
　前記記載事項カ．の記載によれば、「黒色着色材を感光層６に混合して光吸収層７」とした層は、記載事項ウ、エに記載されるレンチキュラー型スクリーンの製造方法の実施例で用いられる、ポジ型感光性樹脂による感光層６と黒色インキによる光吸収層７を積層形成された層に代えて用いられるものである。
　そして、記載事項エ．に記載されるように、上記積層形成された層と同じく、前記『黒色着色材をポジ型感光層６に混合して光吸収層７とした層』は、レンチキュラーレンズシート１のレンズ凸部２側からの線条の紫外光によりが露光されることを読み取ることができる。
　また、記載事項ア．に記載された「面に光収光性の線条凸部を備え、裏面に平坦面を備えたレンチキュラーレンズシートの平坦面に、光吸収性のブラックストライプ模様を形成するため」には、前記『黒色着色材をポジ型感光層６に混合して光吸収層７とした層』を用いた製造方法において、上記光吸収層７の紫外光で露光された線条の部分が除去されることは明らかである。
　
　したがって、記載事項ア．ないし記載事項キ．及び図面の記載からみて、引用例には、
「表面に光収光性の線条凸部を備え裏面に平坦面を備えたレンチキュラーレンズシート１に線条の光吸収層を形成する方法において、レンチキュラーレンズシート１平坦面３に、『黒色着色材をポジ型感光層６に混合して光吸収層７とした層』を全面に形成して乾燥後、前記レンチキュラーレンズシート１のレンズ凸部２側からの線条の紫外光により前記『黒色着色材をポジ型感光層６に混合して光吸収層７とした層』を露光して光分解処理した後、光吸収層７の露光された線条の部分を除去して、線状の光吸収層を形成させる、線状の光吸収層が設けられたレンチキュラー型映写スクリーンの製造方法。」の発明（以下、「引用発明」という。）が記載されているといえる。
　
３．対比
　本願発明と引用発明とを対比する。
　
（１）
ア　引用発明の対象は、「線状の光吸収層が設けられたレンチキュラー型映写スクリーンの製造方法」である。
イ　レンチキュラー型映写スクリーンに用いられる「レンチキュラーレンズシート１」は、本願発明の「マイクロレンズシート」に相当する。
ウ　引用発明の「線状の光吸収層」、「設けられた」は、本願発明の「遮光性マトリックス」、「有する」に相当する。
　したがって、引用発明の対象である「線状の光吸収層が設けられたレンチキュラー型映写スクリーンの製造方法」は、本願発明の対象である「遮光性マトリックスを有するマイクロレンズシートの製造方法」に相当する。
　
（２）
ア　引用発明の「レンチキュラーレンズシート１に線条の光吸収層を形成する方法」は、レンチキュラーレンズシート１を使用することは明らかである。
イ　引用発明の「光収光性の線条凸部」、「裏面」は、本願発明の「レンズ面」、「反対側の面」に相当するから、引用発明の「表面に光収光性の線条凸部を備え裏面に」は、本願発明の「レンズ面の反対側の面に」に相当する。
ウ　引用発明の「黒色着色材」、「混合して」、「ポジ型感光層６」は、本願発明の「遮光剤」、「含有する」、「フォトレジスト層」に相当するから、引用発明の「黒色着色材をポジ型感光層６に混合して光吸収層７とした層」は、本願発明の「遮光剤を含有するフォトレジスト層」に相当する。
　したがって、引用発明の「表面に光収光性の線条凸部を備え裏面に平坦面を備えたレンチキュラーレンズシート１に線条の光吸収層を形成する方法において」と本願発明の「レンズ面の反対側の面にマイクロレンズの焦点距離に応じて厚さが定められた透明層を設け、遮光剤を含有するフォトレジスト層がレンズの焦点の位置にくるよう配置されているマイクロレンズシートを使用し」とは、レンズ面の反対側の面に、遮光剤を含有するフォトレジスト層が配置されているマイクロレンズシートを使用しの点で一致する。
　
（３）
ア　引用発明の「レンチキュラーレンズシート１のレンズ凸部２」は、本願発明の「レンズ面」に相当する。
イ　引用発明の「紫外光」、「紫外光により」は、本願発明の「光」、「光を照射して」に相当する。
　したがって、引用発明の「前記レンチキュラーレンズシート１のレンズ凸部２側からの線条の紫外光により前記『黒色着色材をポジ型感光層６に混合して光吸収層７とした層』を露光して光分解処理し」は、本願発明の「該レンズ面から光を照射して該フォトレジスト層を露光し」に相当する。
　
（４）
ア　引用発明の「露光された『黒色着色材をポジ型感光層６に混合して光吸収層７とした層』」は、ポジ型感光層６を含み、かつ露光されているから、本願発明の「該露光後のフォトレジスト層」に相当する。
イ　引用発明の「光吸収層７」、「露光された線条の部分を除去して露光された線条の部分を除去して」は、本願発明の「フォトレジスト層」、「開口部を設けて」に相当するから、引用発明の「露光された線条の部分を除去して」は、本願発明の「該フォトレジスト層に開口部を設けて」に相当する。
ウ　引用発明の「線状の光吸収層」は、本願発明の「マトリックス」に相当する。
　したがって、引用発明の「光吸収層７の露光された線条の部分を除去して
、線状の光吸収層を形成させる」と本願発明の「該露光後のフォトレジスト層を現像することにより該フォトレジスト層に開口部を設けてマトリックスを形成させる」とは、該露光後のフォトレジスト層に開口部を設けてマトリックスを形成させる点で一致する。
　
　前記（１）〜（４）に記載したことからして、本願発明と引用発明の両者は、
「レンズ面の反対側の面に、遮光剤を含有するフォトレジスト層が配置されているマイクロレンズシートを使用し、該レンズ面から光を照射して該フォトレジスト層を露光し、該露光後のフォトレジスト層に開口部を設けてマトリックスを形成させる、遮光性マトリックスを有するマイクロレンズシートの製造方法。」
である点で一致し、次の相違点が存在する。
　
相違点（Ａ）；
　マイクロレンズシートについて、本願発明は、「レンズ面の反対側の面にマイクロレンズの焦点距離に応じて厚さが定められた透明層を設け、遮光剤を含有するフォトレジスト層がレンズの焦点の位置にくるよう配置されている」のに対して、引用発明は、そのように限定されていない点。
　
相違点（Ｂ）；
　露光後のフォトレジスト層に開口部を設ける手段が、本願発明は、「露光後のフォトレジスト層を現像することによ」るのに対して、引用発明は、その点が特定されていない点。
　
４．当審の判断
　相違点（Ｂ）、相違点（Ａ）の順に検討する。　　
　
（１）相違点（Ｂ）について；
　引用例には、「黒色着色材をポジ型感光層６に混合して光吸収層７とした層」と代替される「ポジ型感光性樹脂による感光層６と黒色インキによる光吸収層７を積層形成された層」をレンチキュラー型映写スクリーンの製造方法について、以下の旨が記載されている（記載事項オ．）。
ア　レンチレンズシート１をアルカリ性の現像液に浸漬し、光照射された感光領域９の感光層６を光吸収層７を透して膨潤、あるいは半溶解する。
イ　次に、該感光層６を半乾燥状態あるいは乾燥状態にした後、該光吸収層７上に、粘着剤を塗布した剥離シート８を該粘着剤を介して貼着する。
ウ　そして、剥離シート８をレンチレンズシート１側より剥離する。
エ　そして剥離シート８側に貼着した状態で剥離される光照射された感光領域９を、レンチレンズシート１側より剥離することによって、レンズ凸部２と相対する平坦面３の光吸収層７は除去され、一方、レンズ谷部４に相対する位置の平坦面には感光層６が残る。
　
　この記載からみて、ポジ型感光性樹脂による感光層６と光吸収層７における、レンズ凸部２と相対する部分を除去するためには、光照射（紫外光で露光）された感光領域９の感光層６をアルカリ性の現像液と接触させることが必要であることを読み取ることができる。
　そして、引用発明の「黒色着色材をポジ型感光層６に混合して光吸収層７とした層」に対して、レンズ凸部２と相対する部分を除去する（開口部を設ける）ために、上記光吸収層７とした層をアルカリ性の現像液に接触させた場合、「黒色着色材をポジ型感光層６に混合して光吸収層７とした層」は、厚みが相当程度薄いこと（記載事項ウ．の記載参照）、及び上記ポジ型感光層６が、紫外線の照射を受けアルカリ性の現像液に可溶になっているから、「黒色着色材をポジ型感光層６に混合して光吸収層７とした層」と現像液とが接触している時間を適切に設定すれば、上記光吸収層７とした層に開口部が形成できることは、当業者ならば容易に想到し得る事項であるといえる。
　すなわち、本願発明の「露光後のフォトレジスト層を現像することにより該フォトレジスト層に開口部を設け」ることは、引用例の記載に基づいて当業者が容易になし得る事項である。
　
　したがって、相違点（Ｂ）は、引用例の記載に基づいて当業者が容易になし得る事項である。
　
（２）相違点（Ａ）について；
　引用発明のレンチキュラーレンズシート１（マイクロレンズシート）は、本願発明でいうマイクロレンズと透明層との一体物として作成され、両者の区別はされていない。
　これに対して、本願発明のマイクロレンズシートが、マイクロレンズと透明層の一体物のものも含むことは明らかであるから、引用発明のレンチキュラーレンズシート１と本願発明のマイクロレンズシートとはこの点で格別相違するものではない。
　
　また、引用発明において、レンチキュラーレンズシート１のレンズ凸部２側から光吸収層７とした層に入射する紫外光は、平行光線ではないことは明らかである。
　そして、引用発明において、ポジ型感光剤を露光する紫外線光の焦点の位置をどこに設定するかは、引用発明の方法で製造されるレンチキュラー型スクリーンの光吸収層の幅、レンチキュラーレンズの焦点距離等を勘案して、適宜に設定し得る事項である。
　
　なお、引用発明の『黒色着色材をポジ型感光層６に混合して光吸収層７とした層』と置換される「感光性樹脂による感光層６と黒色インキによる光吸収層７を積層形成するもの」を用いた実施例の説明箇所である、第４図の説明個所、及び第４図からみて、黒色着色材をポジ型感光層６に混合して光吸収層７とした層を用いた場合でも、同じく紫外光が、レンズ凸部２にて一定幅の線条に収束し、光吸収層７に上記紫外光の焦点が位置する点を読み取ることができる。
　
　したがって、本願発明のように、レンズ面の反対側の面にマイクロレンズの焦点距離に応じて厚さが定められた透明層を設け、遮光剤を含有するフォトレジスト層がレンズの焦点の位置にくるよう配置することは、引用例の記載に基づいて当業者が容易に想到し得る事項である。
　よって、相違点（Ａ）に係る本願発明の発明特定事項は、引用例の記載に基づいて当業者が容易に想到し得る事項である。
　
　また、本願発明によってもたらされる効果についても、引用例の記載事項から予測し得る範囲内のものである。
　
　したがって、本願発明は、引用例に記載された発明に基づいて当業者が容易に発明をすることができたものである。
　
５．むすび
　以上のとおり、本願発明は、引用例に記載された発明に基づいて当業者が容易に発明をすることができたものであるから、特許法第２９条第２項の規定により特許を受けることができない。
　よって、結論のとおり審決する。